(57)【要約】【目的】    扉及び枠表面から支持部等の露出部がなく、且つ重量物扉構造に加え、建築基準法（109条）及び消防法（令第9条）に適合し、更に最大開き角度180度を有する扉支持構造を提供する。【構成】    外枠の開口部を上部支持部3と下部支持部3の丁番ケース6に吊り込まれた軸棒8を係合し、連結丁番10を介して開閉自在に吊り込まれた扉支持構造であって、支持部11に固着された軸棒に、扉側丁番受12が吊り込まれ回動され、更に90度開口後は、連結丁番丸筒に凸形戸当ストッパー13のテコ力により、枠側軸棒8に連結丁番10が扉本体4と共に開き、180度最大時にて戸当ストッパー13にて静止する扉支持構造。【選択図】  図5
2006063713.tif 000002
【特許請求の範囲】
【請求項１】
外枠の開口部を上部及び下部支持部を介し、開閉自在に吊り込まれた扉支持構造であって、支持部が枠、扉共に埋設された固定金具と、この固定金具を連結する丁番を介し、この連結丁番の軸棒に扉が吊り込まれ回動する扉支持構造であり、両面フラッシュ内臓を目的とした可動体重量扉を意図としたことを特徴とした扉支持構造。
【請求項２】
外枠（縦枠）と扉間の緩衝をさけるため、適度の隙間を保持するため、前記枠側吊元に丁番ケースを設け、このケース架台に軸棒を連結して、回転自在に外周に沿って回動する構造であり、この丁番ケースに前後にスライドする調整板を特徴とする扉支持構造。
【請求項３】
前記扉受軸棒にて、円弧回動する扉支持構造であり、更に開口角度最大180度を目的とするため、枠側ケース軸の一端に第１角度90度とし、第２角度180度の開口のため、ばね力によって供回を規制するスプリングを設けた連動開閉を特徴とした扉支持構造。
【発明の詳細な説明】
【技術分野】
【０００１】
本発明は、扉支持構造に係り、詳しくは、扉及び枠表面より支持部等の露出部がなく、且つ重量物扉本体に適合する強度を保ち、また両面フラッシュ扉構成にて、最大開き角度180度を確保できる扉支持構造に関するものである。
【背景技術】
【０００２】
各種建築物等の入口に設けられた扉支持構造として、一般的には中心吊または持出吊に大別される。それ等は使用意図によって使い分けられている。中心吊は軸芯上下を基に回動する装置であり、欠点は吊元側に扉戸尻丸形にて縦枠は丸型凹であるが、さらに縦枠に煙返し凸が有さないものである。しかし、その長所は支持構造金具が露出しないことである。また、持出吊は現在一般的な丁番であるか、またピポットヒンヂであり。更に自販機、自動車、書庫等の軽量扉であっても原則として扉構造は全て片面フラッシュという構造である。このような扉構造であり、近年の建築物要望の中で、美観上の問題と持出吊方法等、隙間の指詰等の安全性の点からも、その改善及び進歩が望まれている。
【特許文献１】特開平8-254063号公報
【発明の開示】
【発明が解決しようとする課題】
【０００３】
こうした片面フラッシュ軽量扉点検等は、扉回転の戸尻側に出来るだけ細い軸にて回動させ、または片面フラッシュ重量物扉に関しては適用がなかった。
【０００４】
本発明は、こうした従来の問題を解決し、重量物支持構造を有し、両面フラッシュ扉構造にて建築基準法（109条）及び消防法（令第9条）を解決し、開閉動作できる扉支持構造を提供することを目的とする。
【課題を解決するための手段】
【０００５】
係る目的を達成するために、本発明のうち請求項1記載の発明は、吊元側縦枠を上部及び下部の支持部を介して開閉自在に吊り込まれた扉支持構造であって、支持部が枠及び扉に埋設された固定金具と、この固定金具とを連結する丁番と、その軸芯を回動する扉側に埋設された扉受丁番の持出吊による扉の吊り込みにて回動する構成を採用した。
【０００６】
このように枠側固定軸とそれを連結する丁番と、その丁番に扉側受丁番が突入する軸受棒にて、扉の開閉動作に回動する事ができ、所望の開き位置にて開閉する事ができる。
【０００７】
また、請求項2に記載の発明は、枠側軸と連結丁番とが一体化したもので形成され、且つ剛性を高め、重量荷重に適合する構成を有し、出来るだけ損傷部品が発生しないよう簡略化した。また、扉使用により、大きな荷物等の出入り時には最大開放が望まれ、90度開放時は扉内蔵部の軸心で回動作動を生じ、更に大きな角度は枠側丁番ケース内の軸に必要時まで回転しないようにスプリングにて供回りを規制し、最大時180度開角を拡げることができる。
【０００８】
このように枠及び扉内部に埋設された2軸構成により、一般の持出吊扉開き軌道より余分で大きな隙間は必要がないため、指詰防止になり、美観上の問題をも同時に解決する事ができる。
【０００９】
また、扉と枠との正面からの美観上に重要な隙間の均一性と、扉と吊元側縦枠の干渉を生じないように機能性を兼ね、正面左右に扉が移動するスライド板を架設し、微調整ができる。
【発明の効果】
【００１０】
本発明に係る扉支持構造は、外枠の開口部を上下支持部を介して開閉自在に吊り込まれた扉支持構造であって、前記支持部が前記外枠内に埋設された固定金具と、この固定金具軸に回転自在に支承された連結丁番とその連結丁番に固定された軸棒に構成され、扉受丁番が回転自在に回動する扉支持構造であり、従来のような持出機構のように扉本体と外枠との干渉を避けるための余分な隙間は不必要となる。また、支持部は扉本体等の表面に露出することがないので、指詰めの問題だけでなく美観上の問題をも同時に解決する事ができる。更に、開き角度が90度前後使用の場合と必要時には180度角度が可能であり、所望の軌跡で扉本体を開閉させることができる。
【００１１】
また、本発明に係る扉支持構造は、吊元側外枠と扉との内部に埋設された固定内部持出方法であり、吊り込み時の隙間正面視上の点から、その隙間が（チリ）が均一となるよう、あるいは、枠と扉が干渉しないように吊元側軸中心に、左右スライドできる調整板を架設し、扉本来の機能性と美観上の解決ばかりでなく、指詰防止の安全性も同時に解決する事ができる。
【発明を実施するための最良の形態】
【００１２】
外枠の開口部を上下支持部を介して開閉自在に吊り込まれた扉支持構造であって、前記支持部が前記外枠内に埋設された固定金具と、この固定金具に回転自在に支承された連結丁番と、その連結丁番に突出された軸棒に扉受丁番が吊り込まれ、回転自在に回動する扉支持構造であり、普通開閉使用時は、突出部にて回動作するが、必要時180度開きの場合は、供回りをしないように所定のばね力にて連結丁番を規制する、ねじりスプリングを吊元側枠軸と丁番ケースに架設した。
【実施例１】
【００１３】
以下、本発明の実施の形態を図面に基づいて詳細に説明する。図1は、本発明に係る扉支持構造を用いた扉の正面図。図2は本発明に係る扉支持構造の一実施例で、上部支持部を示す斜視図である。図3は、開閉動作を示す作用図。図4は、斜視全体図である。
【００１４】
図1において、1はオフィスビル、店舗勝手口、マンション等の入口に設けられた扉で、入口となる開口部を区画形成し、上枠2Ａ、下枠2Ｄ及び左右の縦枠2Ｂ、2Ｃからなる矩形状の外枠2と、この外枠2内に支持部3が上下に開閉自在に吊り込まれている扉本体4と、この扉本体4の上部および上枠2Ａに架設されたドアチェックとを備えている。外枠2はアルミ押出型材、木製、鋼板等の型材からなり、箱型の框、両面フラッシュとして構成されている。
【００１５】
図2に示す支持部3は、図1に示す縦枠2Ｂの中間部に上下埋設され、箱型形状の丁番ケース6とこの丁番ケース内にスライドする軸受スライド板7と枠側軸8とが係合され、枠側軸8と扉側軸11が回転自在の連結丁番にて係合され、その扉側軸11に扉受丁番12が組み込まれている。
【００１６】
また、枠側丁番ケース6及び、スライド板7には、枠側軸棒8の上部に連結丁番10が供回りを規制するねじりスプリング9のばね定数が適宣設定されている。
【００１７】
図3は本発明に係る扉支持構造の開閉動作を示す作用図である。扉本体4を矢印方向に開く時、90度までは扉本体側棒11を扉受丁番12が回動作用をなし、更に開く時は、扉本体4と扉受丁番12が係連されているので、枠側軸棒8を芯として回動し、最大開放角度180度が可能となる。
【００１８】
以上、本発明の実施の形態について説明を行ったが、本発明はこうした実施形態に何等限定されるものではなく、あくまでも例示であって、本発明の要旨を逸脱しない範囲内において、更に種々なる形態で実施得ることは勿論のことであり、本発明の範囲は、特許請求の範囲の記載によって示され、更に特許請求の範囲に記載の均等の意味、及び範囲内の全ての変更を含む。
【産業上の利用可能性】
【００１９】
本発明に係る扉支持構造は、扉本体の2点吊であるが、扉の大きいもの等は3点、4点支持にて荷重負荷が解消でき、構造上機密性の高い扉に用いられ、機構をコンパクト化すると木製建具、アルミ窓等としても適用する事ができる。また、鉄製の書庫、ロッカー等の扉のように、美観を要求される扉に利用する事もできる。
【図面の簡単な説明】
【００２０】
【図１】本発明に係る扉支持構造を用いた扉の正面図である。
【図２】本発明に係る扉支持構造の一実施例で、上部側支持部を示す分解斜視図である。
【図３】同実施例を示す丁番の配設状態を示す水平方向に沿う断面図である。
【図４】同実施例を示す扉全開状態を示す平面図である。
【図５】同実施例を示す視斜図である。
【符号の説明】
【００２１】
1    …扉
2    …枠
2Ａ  …上枠
2Ｂ  …吊元側枠
2Ｃ  …錠側枠
2Ｄ  …下枠
3    …支持部（上、下）
4    …扉本体
5    …ドアチェック
6    …枠側丁番ケース
7    …枠側軸受スライド板
8    …枠側軸棒
9    …スプリング
10   …連結丁番
11   …扉受軸棒
12   …扉受丁番
13   …ストッパー
14   …スライド板調整穴
15   …リング
16   …スプリング化粧キャップ
17   …スプリング受切欠
18   …ビス
【図１】
2006063713.tif 000003
【図２】
2006063713.tif 000004
【図３】
2006063713.tif 000005
【図４】
2006063713.tif 000006
【図５】
2006063713.tif 000007
【手続補正書】
【提出日】平成16年8月30日(2004.8.30)
【手続補正１】
【補正対象書類名】図面
【補正対象項目名】全図
【補正方法】変更
【補正の内容】
【図１】
2006063713.tif 000008
【図２】
2006063713.tif 000009
【図３】
2006063713.tif 000010
【図４】
2006063713.tif 000011
【図５】
2006063713.tif 000012